(57)【要約】　　　（修正有）【課題】走行機能を具えた組合せ式玩具の提供。【解決手段】前端に第１空間１３を、後端に第２空間１４を具えたケース１０と、第１空間に縦に枢接されてケース１０に対して回転自在とされる回転手段３０と、該回転手段に結合されると共にケースの二側を貫通する輪軸５１を具えた転向装置４０と、該第２空間に設置されて駆動部５３を具え、該駆動部を、ケースの二側を貫通する輪軸４１が貫通し、該輪軸の二端に車輪が結合された動力装置５０と、を具え、該駆動部が該組み合わせ玩具に直行の機能を提供し、並びに該転向装置の輪軸及び車輪が回転手段の回転により転向走行の機能を達成する。【選択図】　　　　図２
0003098777.tif 000002
【実用新案登録請求の範囲】
【請求項１】
走行機能を具えた組合せ式玩具において、
前端に第１空間を、後端に第２空間を具えたケースと、
第１空間に縦に枢接されて該ケースに対して回転自在とされる回転手段と、
該回転手段に結合されると共にケースの二側を貫通する輪軸を具えた転向装置と、
該第２空間に設置されて駆動部を具え、該駆動部をケースの二側を貫通する輪軸が貫通し、該輪軸の二端に車輪が結合された動力装置と、
を具え、該駆動部が該組み合わせ玩具を駆動して弾き出して直行させ、並びに該転向装置の輪軸及び車輪が回転手段に伴い揺動し、転向走行の機能を達成することを特徴とする、走行機能を具えた組合せ式玩具。
【請求項２】
請求項１記載の走行機能を具えた組合せ式玩具において、駆動部が歯車セットと螺旋バネを具え、二つの車輪が逆時計回りに操作される時に該螺旋バネが収縮し、且つ車輪が開放される時、螺旋バネが釈放されて螺旋バネの回復力により車輪が時計回りに回転し、並びにこれにより組合せ式玩具が前方に弾き出されることを特徴とする、走行機能を具えた組合せ式玩具。
【請求項３】
請求項１記載の走行機能を具えた組合せ式玩具において、ケースの上面に複数の結合凸塊が設けられて、異なる形状の組合せ式玩具と凹凸の組み合わせにより積み重ねられて組合せ式玩具アセンブリを形成することを特徴とする、走行機能を具えた組合せ式玩具。
【請求項４】
請求項１記載の走行機能を具えた組合せ式玩具において、ケースの第１空間と第２空間の周縁に複数の結合凹溝が設けられたことを特徴とする、走行機能を具えた組合せ式玩具。
【請求項５】
請求項４記載の走行機能を具えた組合せ式玩具において、ケースにカバーが結合され、該カバーにケースの複数の結合凹溝と嵌合する複数の結合凸部が設けられ、これによりケースの第１空間と第２空間が閉じられることを特徴とする、走行機能を具えた組合せ式玩具。
【請求項６】
請求項１記載の走行機能を具えた組合せ式玩具において、第１空間内に縦向きに、凹溝を具えた柱体が設けられ、該凹溝内にさらに環状に凹環部が設けられ、回転手段が一端に環状に設けられた凸環部により該柱体と結合されたことを特徴とする、走行機能を具えた組合せ式玩具。
【請求項７】
請求項６記載の走行機能を具えた組合せ式玩具において、回転手段の別端に軸方向の切溝が設けられ、且つ該切溝の二側壁が弾性を具え、該切溝の末端が漸次拡張されて円弧溝とされ、転向装置の輪軸が切溝より挿入されて並びに該円弧溝に挿入され、回転手段に伴いケースに対して揺動することを特徴とする、走行機能を具えた組合せ式玩具。
【請求項８】
請求項１記載の走行機能を具えた組合せ式玩具において、第１空間ケースの二側に開口を具え、転向装置の輪軸がこの二側の開口より突出し、且つ該開口の二側壁間に制限されて揺動することを特徴とする、走行機能を具えた組合せ式玩具。
【考案の詳細な説明】
【０００１】
【考案の属する技術分野】
本考案は一種の組合せ式玩具に係り、特に、走行機能を具えた組合せ式玩具に関する。
【０００２】
【従来の技術】
組合せ式玩具は大人も子供も楽しめる玩具であり、それは複数の異なる形状のユニットを遊戯者がその創意により積み重ねて異なる造形を形成することができるものである。大人にとっても子供にとっても、その提供する空間構造の創造訓練は脳の開発に一定の効果がある。且つ組合せ式玩具は現在のＤＩＹ風潮に符合し、それにより得られる楽しみは尽きない。このほか、組合せ式玩具には製造コストが低く、遊戯方法が簡単な長所があり、極めて経済的なメリットを有している。
【０００３】
図８は周知の組合せ式玩具の構造表示図である。図中、組合せ式玩具７０は、走行装置８０を取り付ける穿孔７１を具え、該走行装置８０はタイヤ８１、リム８２及び輪軸８３を具え、該輪軸８３の一端が該穿孔７１内に通され、もう一端がリム８２に結合され、該タイヤ８１はリム８２の外縁に套設されている。該組合せ式玩具７０の二端にはいずれも走行装置８０が取り付けられ、該組合せ式玩具７０を押動する時、該組合せ式玩具７０が走行装置８０により滑動する。しかし、この滑動方式は直線式の往復走行のみであり、娯楽性の面で単調すぎ、ゆえに周知の組合せ式玩具は実際には不足のところがある。
【０００４】
【考案が解決しようとする課題】
本考案は一種の走行機能を具えた組合せ式玩具を提供することを目的とし、それは、周知のブロック玩具の移動方式が直線式往復移動のみであり、娯楽性と遊戯性のいずれも単調すぎ、実用価値が高くないという問題を改善したものとする。
【０００５】
【課題を解決するための手段】
請求項１の考案は、走行機能を具えた組合せ式玩具において、
前端に第１空間を、後端に第２空間を具えたケースと、
第１空間に縦に枢接されて該ケースに対して回転自在とされる回転手段と、
該回転手段に結合されると共にケースの二側を貫通する輪軸を具えた転向装置と、
該第２空間に設置されて駆動部を具え、該駆動部をケースの二側を貫通する輪軸が貫通し、該輪軸の二端に車輪が結合された動力装置と、
を具え、該駆動部が該組み合わせ玩具を駆動して弾き出して直行させ、並びに該転向装置の輪軸及び車輪が回転手段に伴い揺動し、転向走行の機能を達成することを特徴とする、走行機能を具えた組合せ式玩具としている。
請求項２の考案は、請求項１記載の走行機能を具えた組合せ式玩具において、駆動部が歯車セットと螺旋バネを具え、二つの車輪が逆時計回りに操作される時に該螺旋バネが収縮し、且つ車輪が開放される時、螺旋バネが釈放されて螺旋バネの回復力により車輪が時計回りに回転し、並びにこれにより組合せ式玩具が前方に弾き出されることを特徴とする、走行機能を具えた組合せ式玩具としている。
請求項３の考案は、請求項１記載の走行機能を具えた組合せ式玩具において、ケースの上面に複数の結合凸塊が設けられて、異なる形状の組合せ式玩具と凹凸の組み合わせにより積み重ねられて組合せ式玩具アセンブリを形成することを特徴とする、走行機能を具えた組合せ式玩具としている。
請求項４の考案は、請求項１記載の走行機能を具えた組合せ式玩具において、ケースの第１空間と第２空間の周縁に複数の結合凹溝が設けられたことを特徴とする、走行機能を具えた組合せ式玩具としている。
請求項５の考案は、請求項４記載の走行機能を具えた組合せ式玩具において、ケースにカバーが結合され、該カバーにケースの複数の結合凹溝と嵌合する複数の結合凸部が設けられ、これによりケースの第１空間と第２空間が閉じられることを特徴とする、走行機能を具えた組合せ式玩具としている。
請求項６の考案は、請求項１記載の走行機能を具えた組合せ式玩具において、第１空間内に縦向きに、凹溝を具えた柱体が設けられ、該凹溝内にさらに環状に凹環部が設けられ、回転手段が一端に環状に設けられた凸環部により該柱体と結合されたことを特徴とする、走行機能を具えた組合せ式玩具としている。
請求項７の考案は、請求項６記載の走行機能を具えた組合せ式玩具において、回転手段の別端に軸方向の切溝が設けられ、且つ該切溝の二側壁が弾性を具え、該切溝の末端が漸次拡張されて円弧溝とされ、転向装置の輪軸が切溝より挿入されて並びに該円弧溝に挿入され、回転手段に伴いケースに対して揺動することを特徴とする、走行機能を具えた組合せ式玩具としている。
請求項８の考案は、請求項１記載の走行機能を具えた組合せ式玩具において、第１空間ケースの二側に開口を具え、転向装置の輪軸がこの二側の開口より突出し、且つ該開口の二側壁間に制限されて揺動することを特徴とする、走行機能を具えた組合せ式玩具としている。
【０００６】
【考案の実施の形態】
本考案は一種の走行機能を具えた組合せ式玩具を提供し、それは、前端に第１空間を、後端に第２空間を具えたケースと、第１空間に縦に枢接されて該ケースに対して回転自在とされる回転手段と、該回転手段に結合されると共にケースの二側を貫通する輪軸を具えた転向装置と、該第２空間に設置されて駆動部を具え、該駆動部を、ケースの二側を貫通する輪軸が貫通し、該輪軸の二端に車輪が結合された動力装置と、を具え、該駆動部が該組み合わせ玩具に直行の機能を提供し、並びに該転向装置の輪軸及び車輪が回転手段の回転により転向走行の機能を達成している。
【０００７】
【実施例】
図１から図７には本考案の選択した数種類の実施例の構造が示されるが、本考案の請求範囲はこれに限定されるものではない。
【０００８】
図１及び図２は本考案の斜視図及び分解斜視図である。そのうち、組合せ式玩具１は、ケース１０、カバー２０、回転手段３０、転向装置４０、動力装置５０を具えている。
【０００９】
該ケース１０は、その上面に複数の結合凸塊１１が設けられ、底部に凹溝１２が設けられ、且つ該凹溝１２がケース１０の前後二端において第１空間１３と第２空間１４を形成し、そのうち該第１空間１３の所定の位置に縦向きに円柱体１５が設置され、且つ該円柱体１５に凹溝１５１が形成され、並びにこの円柱体１５の凹溝１５１の周縁に凹環部１５２が形成されている。
【００１０】
該ケース１０の第１空間１３はさらにケース１０の二側に開放された相互に対応する開口１３１と、所定の位置に設置された複数の結合凹溝１６を具えている。
【００１１】
該ケース１０の第２空間１４はさらにケース１０の二側に開放された相互に対応する開口１４１と、所定の位置に設置された複数の結合凹溝１６を具えている。
【００１２】
該カバー２０は、周縁にケース１０の複数の結合凹溝１６に嵌合する複数の結合凸部２１を具え、これによりケース１０の凹溝１２を閉合することができる。
【００１３】
該回転手段３０は、第１端と第２端を具え、該第１端が凸柱３１とされ、該凸柱３１が円柱体１５に枢接され、且つ円柱体１５の凹環部１５２と係合する凸環部３１１が環状に設けられている。
【００１４】
該回転手段３０の第２端に軸方向の切溝３２が設けられて二側壁に弾性を付与し、且つ該切溝３２の末端が漸次拡張されて円弧溝３２１とされている。
該転向装置４０は、第１空間１３内に設置され、該転向装置４０は輪軸４１と二つの車輪４２を具え、該輪軸４１の直径は切溝３２より大きく、切溝３２の二側は弾性を具備するため、輪軸４１が切溝３２より挿入され並びに円弧溝３２１内に結合され、切溝３２の二側壁により限位されてその脱出が防止され、且つ該輪軸４１が二つの開口１３１を通り突出し、並びに末端に二つの車輪４２が結合され、この二つの車輪４２と輪軸４１が回転手段３０に伴い該ケース１０に対して回転する。
【００１５】
該動力装置５０は第２空間１４内に設置され、該動力装置５０は輪軸５１、二つの車輪５２及び駆動部５３を具え、該輪軸５１が駆動部５３内に通され、この二つの車輪５２が、輪軸５１の該二つの開口１４１を貫通した末端に結合され、該駆動部５３が歯車セット５３１と螺旋バネ（図示せず）を具え、該二つの車輪５２が逆時計回りに操作される時に該螺旋バネが収縮し、且つ二つの車輪５２が開放される時、螺旋バネが釈放されて二つの車輪５２が螺旋バネの回復力により時計回りに回転し、並びに組合せ式玩具１を前方に弾き出す。該駆動部５３は周知の部品に属するため、ここではこれ以上の説明は省略する。
【００１６】
図３及び図４は本考案の自然状態での底部透視図及び本考案の転向操作時の底部透視図である。そのうち、回転手段３０の切溝３２内の輪軸４１は回転手段３０に伴いケース１０に対して揺動し、且つ輪軸４１の両端がいずれも開口１３１より突出し、その揺動角度が輪軸４１直径より大きな開口１３１の両側壁により制限される。
【００１７】
図５に示されるのは本考案の第１実施例であり、複数の異なる形状の組合せ式玩具６０が積み重ねられて飛行機造形の組合せ式玩具アセンブリ１００を形成している。この複数の組合せ式玩具６０の一端には複数の凸部６１が設けられ、もう一端には複数の凹部（図示せず）が設けられている。これら組合せ式玩具６０は凹凸の組み合わせにより積み重ねられ、且つ転向装置４０及び動力装置５０を具えた組合せ式玩具１が飛行機造形の組合せ式玩具アセンブリ１００の底部に分離可能に結合され、これにより組合せ式玩具アセンブリ１００が行進、転向及び弾じき出しの機能を具備するものとされ、遊戯者の遊戯時の面白さを増加する。
【００１８】
図６及び図７は本考案の第２及び第３実施例を示し、複数の異なる形状の組合せ式玩具６０が積み重ねられて白造形の組合せ式玩具アセンブリ２００（図６）、及び人形ロボット型の組合せ式玩具アセンブリ３００（図７）が形成され、これらの二つの異なる造形の組合せ式玩具アセンブリ２００、３００の底部に転向装置４０と動力装置５０を具えた組合せ式玩具１が分離可能に結合され、これによりこの二つの異なる造形の組合せ式玩具アセンブリ２００、３００が行進、転向及び弾じき出しの機能を具備するものとされ、遊戯者の遊戯時の面白さを増加する。
【００１９】
【考案の効果】
本考案の長所は以下のとおりである。
１．本考案の走行機能を具えた組合せ式玩具は、ケースとカバーの間にケースに対して回転する回転手段が設けられ、該回転手段が輪軸との結合に供され、且つ該輪軸がケースの二側より突出して車輪に結合され、該車輪と輪軸が回転手段に伴いケースに対して揺動し、組合せ式玩具に行進と転向の機能を具備させる。２．本考案の走行機能を具えた組合せ式玩具は、ケースとカバーの間に動力装置が設けられ、該動力装置が駆動部と、駆動部を通り並びにケース二側を貫通する輪軸を具え、該輪軸の二つの突出端に車輪が結合され、該駆動部内にさらに螺旋バネが設けられ、車輪が逆時計回りに操作される時、該螺旋バネが収縮し、該車輪が開放されると螺旋バネが釈放されて車輪が螺旋バネの回復力により時計回りに回転し、並びに組合せ式玩具を前方に弾き出す。
【００２０】
以上は本考案の好ましい実施例の説明であり、本考案の実施範囲を限定するものではなく、本考案に基づきなしうる細部の修飾及び改変は、いずれも本考案の請求範囲に属するものとする。
【図面の簡単な説明】
【図１】本考案の斜視図である。
【図２】本考案の分解斜視図である。
【図３】本考案の自然状態の底部透視図である。
【図４】本考案の転向操作時の底部透視図である。
【図５】本考案の第１実施例図である。
【図６】本考案の第２実施例図である。
【図７】本考案の第３実施例図である。
【図８】周知の組合せ式玩具の構造表示図である。
【符号の説明】
１　組合せ式玩具　　　　　　１０　ケース
１１　結合凸塊　　　　　　　１２　凹溝
１３　第１空間　　　　　　　１３１　開口
１４　第２空間　　　　　　　１４１　開口
１５　円柱体　　　　　　　　１５１　凹溝
１５２　凹環部　　　　　　　１６　結合凹溝
２０　カバー　　　　　　　　２１　結合凸部
３０　回転手段　　　　　　　３１　凸柱
３１１　凸環部　　　　　　　３２　切溝
３２１　円弧溝　　　　　　　４０　転向装置
４１　輪軸　　　　　　　　　４２　車輪
５０　動力装置　　　　　　　５１　輪軸
５２　車輪　　　　　　　　　５３　駆動部
５３１　歯車セット　　　　　６０　組合せ式玩具
６１　凸部　　　　　　　　　７０　組合せ式玩具
７１　穿孔　　　　　　　　　８０　走行装置
８１　タイヤ　　　　　　　　８２　リム
８３　輪軸　　　　　　　　　１００　組合せ式玩具アセンブリ
２００　組合せ式玩具アセンブリ　　３００　組合せ式玩具アセンブリ
【図１】
0003098777.tif 000003
【図２】
0003098777.tif 000004
【図３】
0003098777.tif 000005
【図４】
0003098777.tif 000006
【図５】
0003098777.tif 000007
【図６】
0003098777.tif 000008
【図７】
0003098777.tif 000009
【図８】
0003098777.tif 000010